(57)【要約】      （修正有）【課題】２つのアンカーと挿通孔との間に位置ずれがあった場合でも、取り付けることができる房掛けを提供する。【解決手段】カーテンを束ねるタッセルを保持する房掛け１であって、所定の固定対象物に予め固定された２つのアンカーを用いてビスにより固定対象物に取り付けられるベース部材１０と、ベース部材１０と一体に設けられ、タッセルを保持可能に形成されたタッセル保持部材２０とを備え、ベース部材１０は、固定対象物に取り付けられる固定側の面には、固定対象物に固定された状態で突出するアンカーの頭部を収容可能な凹部１０ｂｈと、２つのアンカーに対応した位置にビスを挿通可能な２つの挿通孔１３、１５とを有し、２つの挿通孔１３、１５は、一方の挿通孔１５の孔径が他方の挿通孔１３の孔径よりも大きく形成されているようにする。【選択図】図１
0003211179.tif 000002
【実用新案登録請求の範囲】
【請求項１】
カーテンを束ねるタッセルを保持する房掛けであって、
所定の固定対象物に予め固定された２つのアンカーを用いてビスにより前記固定対象物に取り付けられるベース部材と、
前記ベース部材と一体に設けられ、前記タッセルを保持可能に形成されたタッセル保持部材と
を備え、
前記ベース部材は、
前記固定対象物に取り付けられる固定側の面には、前記固定対象物に固定された状態で突出する前記アンカーの頭部を収容可能な凹部と、
前記２つのアンカーに対応した位置に前記ビスを挿通可能な２つの挿通孔と
を有し、
前記２つの挿通孔は、一方の挿通孔の孔径が他方の挿通孔の孔径よりも大きく形成されている
ことを特徴とする房掛け。
【請求項２】
前記ベース部材においては、前記２つの挿通孔と連通し、前記ネジの頭部を収容する２つのサグリ穴が前記固定側の面とは反対側の面に形成され、
前記ザグリ穴においては、前記一方の挿通孔に対応したザグリ穴径が前記他方の挿通孔に対応したザグリ穴のザグリ穴径よりも大きく形成されている
ことを特徴とする請求項１に記載の房掛け。
【考案の詳細な説明】
【技術分野】
【０００１】
本考案は、房掛けに関し、特に、カーテンを束ねるタッセルを保持する房掛けに関する。
【背景技術】
【０００２】
従来、房掛けは、壁等に取り付けられるベース部材と、当該ベース部材と一体に設けられてタッセルを保持するタッセル保持部とを備えている。ベース部材は、壁等に対して当該ベース部材の上端および下端に設けられた挿通孔にビスを挿通させるとともに壁等に当該ビスをねじ込むことにより取り付けられる（例えば、特許文献１を参照。）
【先行技術文献】
【特許文献】
【０００３】
【特許文献１】特開２０１５−２０８４２３号公報
【考案の概要】
【考案が解決しようとする課題】
【０００４】
このような上述した構成の房掛けでは、石膏ボード等の壁や、厚さが薄く木ねじをねじ込むことが困難な壁を取り付け対象としている場合、アンカーと呼ばれる部品を予め壁に固定しておき、当該アンカーに対してビスにより壁に房掛けを取り付けることが一般的である。
【０００５】
しかしながら、房掛けにはネジで壁に取り付けるための２つの挿通孔があり、この２つの挿通孔間の距離と、壁に固定された２つのアンカー間の距離とが一致していない場合、上方の挿通孔と上方のアンカーとを対応させることができても、下方の挿通孔と下方のアンカーとが対応せず、ビスで取り付けることができなかった。
【０００６】
本考案は、上記の課題に鑑みなされたものであり、その目的は、２つのアンカーと挿通孔との間に位置ずれがあった場合でも、取り付けることが可能な房掛けを提供することである。
【課題を解決するための手段】
【０００７】
上記目的を達成するために、本考案の房掛けは、カーテンを束ねるタッセルを保持する房掛けであって、所定の固定対象物に予め固定された２つのアンカーを用いてビスにより前記固定対象物に取り付けられるベース部材と、前記ベース部材と一体に設けられ、前記タッセルを保持可能に形成されたタッセル保持部材とを備え、前記ベース部材は、前記固定対象物に取り付けられる固定側の面には、前記固定対象物に固定された状態で突出する前記アンカーの頭部を収容可能な凹部と、前記２つのアンカーに対応した位置に前記ビスを挿通可能な２つの挿通孔とを有し、前記２つの挿通孔は、一方の挿通孔の孔径が他方の挿通孔の孔径よりも大きく形成されているようにする。
【０００８】
本考案の前記ベース部材においては、前記２つの挿通孔と連通し、前記ネジの頭部を収容する２つのサグリ穴が前記固定側の面とは反対側の面に形成され、前記ザグリ穴においては、前記一方の挿通孔に対応したザグリ穴径が前記他方の挿通孔に対応したザグリ穴のザグリ穴径よりも大きく形成されているようにする。
【考案の効果】
【０００９】
本考案によれば、２つのアンカーと挿通孔との間に位置ずれがあった場合でも、取り付けることが可能な房掛けを実現することができる。
【図面の簡単な説明】
【００１０】
【図１】本考案の実施の形態に係る房掛けの全体構成を示す斜視図である。
【図２】本考案の実施の形態に係る房掛けの構成を示す正面図および断面図である。
【図３】本考案の実施の形態に係る房掛けに用いられるアンカーの構成を示す略線的断面図である。
【図４】本考案の実施の形態に係る房掛けがアンカーを用いて壁に取り付けられるときの説明に供する断面図および正面図である。
【図５】本考案の実施の形態に係る房掛けが他のアンカーを用いて壁に取り付けられた状態を示す断面図である。
【考案を実施するための形態】
【００１１】
＜実施の形態＞
以下、本考案の実施の形態について、図面を参照しながら具体的に説明する。図１は、本考案の実施の形態に係る房掛けの全体構成を示す斜視図である。図２は、考案の実施の形態に係る房掛けの構成を示す正面図および断面図である。図３は、本考案の実施の形態に係る房掛けに用いられるアンカーの構成を示す略線的断面図である。図４は、本考案の実施の形態に係る房掛けがアンカーを用いて壁に取り付けられるときの説明に供する断面図および正面図である。
【００１２】
＜房掛けの全体構成＞
図１乃至図４に示すように、房掛け１は、カーテンを束ねるタッセル（図示せず）を保持するものであり、当該房掛け１が固定される固定対象物としての壁ｂｄ（図３、図４）に取り付けられて用いられる。この房掛け１の素材としては、樹脂、金属、木材等の種々の材料が用いられる。
【００１３】
房掛け１は、十字穴付きの木ねじ等のビス（図示せず）により壁ｂｄに取り付けられる略矩形板状のベース部材１０と、タッセルのリング紐を引っ掛けて保持するタッセル保持部材２０とを備えている。
【００１４】
タッセル保持部材２０は、ベース部材１０の表面と所定の距離だけ離間し、当該表面と略平行に設けられた略矩形板状の係止板２１と、ベース部材１０と係止板２１とを連結する柱状部材からなるアーム２２とを備えている。すなわちタッセル保持部材２０は、タッセルのリング紐（図示せず）を係止板２１に引っ掛けた状態でアーム２２により当該リング紐が下方に抜け落ちることを防止している。
【００１５】
ベース部材１０は、タッセル保持部材２０の係止板２１に比べて全体的に大きく、上方端部および下方端部にはビスを挿通させるための挿通孔１３、１５が設けられている。
【００１６】
この挿通孔１３、１５は、ベース部材１０の表面１０ａおよび裏面１０ｂの間を貫通し、壁ｂｄに上下方向に沿って予め取り付け固定されたアンカー５０（図３０）にビスをねじ込む際に挿通される貫通孔である。
【００１７】
挿通孔１５の孔径１５ｐは、挿通孔１３の孔径１３ｐよりも大きく、孔径１５ｐ＞孔径１３ｐの関係を有している。ちなみに、裏面１０ｂは、ベース部材１０が壁ｂｄに取り付け固定される際の固定側となる固定面であり、表面１０ａは、その反対側の外部に露出される露出面である。
【００１８】
アンカー５０（図３）は、石膏ボード等の壁ｂｄや、厚さが薄く、木ねじ等のビスを直接ねじ込むことが困難な壁ｂｄの場合に、ビスを取り付け留ために予め壁ｂｄに固定される部品である。アンカー５０は、その内周面にビスのネジをねじ込ませるものであり、種々の種類が存在する。
【００１９】
例えば、このアンカー５０では、壁ｂｄを貫通して当該壁ｂｄの内側空間に先端側が侵入した状態で当該壁ｂｄと一体化した本体部５１と、当該壁ｂｄの外側に僅かに突出し、当該本体部５１よりも外径の大きな頭部５２とを備えている。
【００２０】
また、ベース部材１０の表面１０ａには、貫通孔１３、１５と連通し、アンカー５にねじ込まれるビスの頭部を収容可能なサグリ穴１４、１６が表面１０ａに形成されている。
【００２１】
ザグリ穴１４、１６のザグリ穴径１４ｐ、１６ｐは、当然に、挿通孔１３の孔径１３ｐ、挿通孔１５の孔径１５ｐよりも大きい。また、ザグリ穴１６のザグリ穴径１６ｐは、ザグリ穴１４のザグリ穴径１４ｐよりも大きく、ザグリ穴径１６ｐ＞ザグリ穴径１４ｐの関係を有している。
【００２２】
この場合、挿通孔１５の孔径１５ｐが挿通孔１３の孔径１３ｐよりも大きい割合と、ザグリ穴１６のザグリ穴径１６ｐがザグリ穴１４のザグリ穴径１４ｐよりも大きい割合とはほぼ同じである。
【００２３】
さらにベース部材１０は、ベース部材１０が壁ｂｄに取り付け固定される際の固定面である裏面１０ｂに対して、壁ｂｄに固定された状態で突出するアンカー５０の頭部５２を収容可能な凹部１０ｂｈを有する。凹部１０ｂｈは、挿通孔１３、１５を含む裏面１０ｂの大部分にわたって形成され、当該ベース部材１０と相似形である。また、凹部１０ｂｈは、アンカー５０の頭部５２の高さよりも僅かに大きな深さｄｐを有している。
【００２４】
ただし、凹部１０ｂｈは、必ずしも、挿通孔１３、１５を含む裏面１０ｂの大部分にわたって形成されている必要はなく、アンカー５０の頭部５２を収容できさえすれば、挿通孔１３、１５の周辺だけに形成されていてもよい。
【００２５】
＜動作および効果＞
以上の構成において、房掛け１は、壁ｂｄに予め固定された２つのアンカー５０間の距離と、ベース部材１０の挿通孔１３、１５間の距離とが一致しておらず、位置ずれがあった場合でも以下のような作用効果を奏することができる。
【００２６】
つまり、図４に示すように、房掛け１は、ベース部材１０の挿通孔１３と壁ｂｄの上側に固定されたアンカー５０に合わせてビス（図示せず）により取り付けられた後、当該ベース部材１０の挿通孔１５と壁ｂｄの下側に固定されたアンカー５０との位置ズレを孔径１５ｐの大きな挿通孔１５によって吸収することができる。この場合、壁ｂｄに取り付けたアンカー５０を付け直す必要がない。
【００２７】
また、房掛け１は、２つのアンカー５０間の距離と、ベース部材１０の挿通孔１３、１５間の距離とが一致していないだけではなく、上側に固定されたアンカー５０に対して下側に固定されたアンカー５０が鉛直方向から左右方向へ僅かにずれていた場合であっても、その位置ズレについてもベース部材１０の挿通孔１５の孔径１５ｐが大きいために吸収することができるので、鉛直方向に真っ直ぐに取り付けることができる。この場合も、壁ｂｄに取り付けたアンカー５０を付け直す必要がない。
【００２８】
ちなみに、頭部５２を有するアンカー５０が壁ｂｄに取り付けられている場合に房掛け１の凹部１０ｂｈが有効に機能する場合について説明したが、これに限るものではない。例えば、図５に示すように、頭部を有さないアンカー６０が壁ｂｄに取り付けられている場合にも房掛け１は上述したような同様の作用効果を奏することができる。ただし、この場合、アンカー６０に頭部が存在しないので、凹部１０ｂｈの収容空間が特に機能することはない。
【００２９】
＜他の実施の形態＞
以上、本考案の好適な実施の形態について説明したが、本考案は上記の実施の形態に係る房掛け１に限定されるものではなく、本考案の概念および実用新案登録請求の範囲に含まれるあらゆる態様を含む。また、上述した課題および効果の少なくとも一部を奏するように、各構成を適宜選択的に組み合わせてもよい。例えば、上記実施の形態における各構成要素の形状、材料、配置、サイズ等は、本考案の具体的使用態様によって適宜変更され得る。
【００３０】
例えば、挿通孔１５の孔径１５ｐが挿通孔１３の孔径１３ｐよりも大きく、孔径１５ｐ＞孔径１３ｐの関係を有しているようにした場合について述べたが、これに限るものではなく、挿通孔１３の孔径１３ｐが挿通孔１５の孔径１５ｐよりも大きく、孔径１３ｐ＞孔径１５ｐの関係を有していてもよい。この場合、ザグリ穴径１４ｐ＞ザグリ穴径１６ｐの関係を有する。
【符号の説明】
【００３１】
１……房掛け
１０……ベース部材
１０ａ……表面
１０ｂ……裏面
１０ｂｈ……凹部
１３、１５……挿通孔
１４、１６……ザグリ穴
２０……タッセル保持部材
２１……係止板
２２……アーム
ｂｄ……壁（固定対象物）
【図１】
0003211179.tif 000003
【図２】
0003211179.tif 000004
【図３】
0003211179.tif 000005
【図４】
0003211179.tif 000006
【図５】
0003211179.tif 000007
【手続補正書】
【提出日】平成29年4月28日(2017.4.28)
【手続補正１】
【補正対象書類名】実用新案登録請求の範囲
【補正対象項目名】全文
【補正方法】変更
【補正の内容】
【実用新案登録請求の範囲】
【請求項１】
カーテンを束ねるタッセルを保持する房掛けであって、
所定の固定対象物に予め固定された２つのアンカーを用いてビスにより前記固定対象物に取り付けられるベース部材と、
前記ベース部材と一体に設けられ、前記タッセルを保持可能に形成されたタッセル保持部材と
を備え、
前記ベース部材は、
前記固定対象物に取り付けられる固定側の面には、前記固定対象物に固定された状態で突出する前記アンカーの頭部を収容可能な凹部と、
前記２つのアンカーに対応した位置に前記ビスを挿通可能な２つの挿通孔と
を有し、
前記２つの挿通孔は、一方の挿通孔の孔径が他方の挿通孔の孔径よりも大きく形成されている
ことを特徴とする房掛け。
【請求項２】
前記ベース部材においては、前記２つの挿通孔と連通し、前記ビスの頭部を収容する２つのザグリ穴が前記固定側の面とは反対側の面に形成され、
前記ザグリ穴においては、前記一方の挿通孔に対応したザグリ穴径が前記他方の挿通孔に対応したザグリ穴のザグリ穴径よりも大きく形成されている
ことを特徴とする請求項１に記載の房掛け。
【手続補正２】
【補正対象書類名】明細書
【補正対象項目名】０００８
【補正方法】変更
【補正の内容】
【０００８】
本考案の前記ベース部材においては、前記２つの挿通孔と連通し、前記ビスの頭部を収容する２つのザグリ穴が前記固定側の面とは反対側の面に形成され、前記ザグリ穴においては、前記一方の挿通孔に対応したザグリ穴径が前記他方の挿通孔に対応したザグリ穴のザグリ穴径よりも大きく形成されているようにする。